(57)【要約】【課題】文書ファイルの原本を書き換えることなく文書ファイル、及び当該文書ファイルに上書された画像データをクライアント間で共有すると共に、当該文書ファイルに上書された画像データの解像度（画素数）を十分得る。【解決手段】クラウドサーバは、予め所定の文書ファイル形式で格納された電子データを、任意の画像ファイル形式の画像データに変換する手段と、変換された画像データを、情報処理端末へ送信する手段と、を含み、情報処理端末は、送信された画像データを受信する手段と、受信された画像データに対して所定の情報を上書する手段と、上書された所定の情報をクラウドサーバに送信する手段と、を含み、クラウドサーバは、送信された所定の情報を受信する手段と、受信された所定の情報を所定の文書ファイル形式に変換し、電子データと対応付けて保存する手段と、を含む。【選択図】図１
2014186632.tif 000002
【特許請求の範囲】
【請求項１】
クラウドサーバと、
前記クラウドサーバと接続するために必要なアプリケーションソフトウェアがインストールされ、前記クラウドサーバと接続することにより、前記クラウドサーバとの間でデータの送受信を行う情報処理端末と、を含むクラウドシステムであって、
前記クラウドサーバは、
予め所定の文書ファイル形式で格納された電子データを、任意の画像ファイル形式の画像データに変換する手段と、
前記変換された前記画像データを、前記情報処理端末へ送信する手段と、
を含み、
前記情報処理端末は、
前記送信された前記画像データを受信する手段と、
前記受信された前記画像データに対して所定の情報を上書する手段と、
前記上書された前記所定の情報を前記クラウドサーバに送信する手段と、
を含み、
前記クラウドサーバは、
前記送信された前記所定の情報を受信する手段と、
前記受信された前記所定の情報を前記所定の文書ファイル形式に変換し、前記電子データと対応付けて保存する手段と、
を含むことを特徴とするクラウドシステム。
【請求項２】
前記所定の情報は、前記画像データにおいて、特定の箇所を指し示すポインタ情報であることを特徴とする請求項１に記載のクラウドシステム。
【請求項３】
必要なアプリケーションソフトウェアがインストールされた情報処理端末と接続することにより、前記情報処理端末との間でデータの送受信を行うクラウドサーバであって、
予め所定の文書ファイル形式で格納された電子データを、任意の画像ファイル形式の画像データに変換する手段と、
前記変換された前記画像データを、前記情報処理端末へ送信する手段と、
前記情報処理端末において前記画像データに対して所定の情報が上書された後、前記情報処理端末から送信された、前記所定の情報を受信する手段と、
前記受信された前記所定の情報を前記所定の文書ファイル形式に変換し、前記電子データと対応付けて保存する手段と、
を含むことを特徴とするクラウドサーバ。
【請求項４】
前記所定の情報は、前記画像データにおいて、特定の箇所を指し示すポインタ情報であることを特徴とする請求項３に記載のクラウドサーバ。
【請求項５】
クラウドサーバと接続するために必要なアプリケーションソフトウェアがインストールされ、前記クラウドサーバと接続することにより、前記クラウドサーバとの間でデータの送受信を行う情報処理端末であって、
前記クラウドサーバに予め所定の文書ファイル形式で格納された電子データが、前記クラウドサーバにおいて任意の画像ファイル形式の画像データに変換された後、前記クラウドサーバから送信された前記画像データを受信する手段と、
前記受信された前記画像データに対して所定の情報を上書する手段と、
前記上書された前記所定の情報を前記クラウドサーバに送信する手段と、
を含むことを特徴とする情報処理端末。
【請求項６】
前記所定の情報は、前記画像データにおいて、特定の箇所を指し示すポインタ情報であることを特徴とする請求項５に記載の情報処理端末。
【請求項７】
クラウドサーバと、前記クラウドサーバと接続するために必要なアプリケーションソフトウェアがインストールされ、前記クラウドサーバと接続することにより、前記クラウドサーバとの間でデータの送受信を行う情報処理端末と、を含むクラウドシステムのコンピュータに、
前記クラウドサーバに予め所定の文書ファイル形式で格納された電子データを、任意の画像ファイル形式の画像データに変換する処理と、
前記変換された前記画像データを、前記情報処理端末へ送信する処理と、
前記送信された前記画像データを前記情報処理装置において受信する処理と、
前記受信された前記画像データに対して所定の情報を上書する処理と、
前記上書された前記所定の情報を前記クラウドサーバに送信する処理と、
前記送信された前記所定の情報を前記クラウドサーバにおいて受信する処理と、
前記受信された前記所定の情報を前記所定の文書ファイル形式に変換し、前記電子データと対応付けて保存する処理と、
を実現させるためのプログラム。
【請求項８】
必要なアプリケーションソフトウェアがインストールされた情報処理端末と接続することにより、前記情報処理端末との間でデータの送受信を行うクラウドサーバのコンピュータに、
予め所定の文書ファイル形式で格納された電子データを、任意の画像ファイル形式の画像データに変換する処理と、
前記変換された前記画像データを、前記情報処理端末へ送信する処理と、
前記情報処理端末において前記画像データに対して所定の情報が上書された後、前記情報処理端末から送信された、前記所定の情報を受信する処理と、
前記受信された前記所定の情報を前記所定の文書ファイル形式に変換し、前記電子データと対応付けて保存する処理と、
を実現させるためのプログラム。
【請求項９】
クラウドサーバと接続するために必要なアプリケーションソフトウェアがインストールされ、前記クラウドサーバと接続することにより、前記クラウドサーバとの間でデータの送受信を行う情報処理端末のコンピュータに、
前記クラウドサーバに予め所定の文書ファイル形式で格納された電子データが、前記クラウドサーバにおいて任意の画像ファイル形式の画像データに変換された後、前記クラウドサーバから送信された前記画像データを受信する処理と、
前記受信された前記画像データに対して所定の情報を上書する処理と、
前記上書された前記所定の情報を前記クラウドサーバに送信する処理と、
を実現させるためのプログラム。
【発明の詳細な説明】
【技術分野】
【０００１】
本発明は、クラウドシステム、クラウドサーバ、情報処理端末、及びプログラムに関する。
【背景技術】
【０００２】
米国アップル社のｉＰａｄ（アイパッド）（登録商標）に代表されるタブレット型端末の市場が急拡大する中で、２０１３年に世界のタブレット型端末の出荷台数が、前年比６４％増の２億４０００万台に達し、ノートパソコンを初めて上回るとの予測がなされている。
【０００３】
その中でも、２０１２年までは画面のサイズ９．７型のｉＰａｄが市場をリードしていたが、２０１３年は７〜８型の小型画面のシェアが拡大する見通しで、消費者の選択の幅が広がることで普及が加速し、２億７００万台のノートパソコンを抜く勢いである。また、２０１７年までにタブレット型端末とノートパソコンとを合わせた出荷台数のうち、約７５％をタブレット型端末が占めるという予測もされている。
【０００４】
このようにタブレット型端末が普及する中、企業等において、従来のレジュメ等の紙媒体を用いた会議、プレゼンテーション、及びディスカッションに代えて、会議等の参加者のそれぞれがタブレット型端末を持参することにより、発表者がスクリーン等に投影した資料を、手元にあるタブレット型端末の表示画面を見ることにより、会議等の進行に合わせて資料を閲覧し共有する、いわゆるペーパーレス会議が行われつつある。
【０００５】
さらに、会議等の資料を、企業のクラウドサーバにアップロードしておくことにより、会議等が終了した後においても、当該資料に対するアクセス権限を有する企業の従業員等が、自分のタブレット型端末にダウンロードすることにより、いつでも閲覧することが可能なシステムが展開されつつある。
【０００６】
ここで、クラウドサーバ、及びタブレット型端末を一例とするクライアント端末を用いたクラウドサービスについて簡単に説明する。近年、パーソナルコンピュータ（以下、「ＰＣ」ともいう。）、スマートフォン等の携帯端末、及びタブレット型端末等、ユーザが使用するクライアント端末からインターネット等の広域ネットワーク上のクラウドサーバにアクセスし、当該サーバ上において情報処理が実行されることにより、各種のサービスを受けられるクラウドサービスと呼ばれるサービスが普及している。
【０００７】
クラウドサービスを利用することにより、従来、ユーザ側のクライアント端末にアプリケーションソフトウェアをインストールすることにより実行されていた情報処理をクラウドサーバが代行するため、ユーザは自身のクライアント端末のリソースの消費を抑えて種々のサービスを利用することができるようになっている。
【０００８】
また、インターネットのような広域ネットワークにおいて提供されるクラウドサービスをパブリッククラウドと呼ぶこともあるが、パブリッククラウドが提供されることにより、インターネットに接続できるより多くのユーザにサービスを提供することが可能となる。
【０００９】
特許文献１には、見積りサーバと、情報処理端末とがクラウドを介して接続された見積りシステムにおいて、見積りサーバからダウンロードされた画像ファイルに軌跡座標を入力した後に見積もりサーバに図面ファイルをアップロードして保存する技術が開示されている。
【００１０】
また、特許文献２には、情報配信サーバと、医薬情報担当者が操作する担当者端末とがインターネットを介して接続された医薬等情報提供システムにおいて、情報配信サーバからダウンロードされた医薬等情報にペン入力されたメモを追記し、情報配信サーバにアップロードする技術が開示されている。
【先行技術文献】
【特許文献】
【００１１】
【特許文献１】特開２０１２−１４６１６３号公報
【特許文献２】特開２０１２−２３８２８６号公報
【発明の概要】
【発明が解決しようとする課題】
【００１２】
しかしながら、特許文献１に記載された技術では、情報処理端末から見積もりサーバに対してアップロードされる図面ファイルのファイル形式が、ＰＤＦ（Portable Document Format）、ＴＩＦＦ（Tagged Image File Format）、及びＪＰＥＧ（Joint Photographic Experts Group）の何れのファイル形式でもない画像であった場合、画像ファイルが見積もりサーバに保存されないという問題がある。
【００１３】
また、特許文献２に記載された技術では、担当者端末に表示されたコンテンツに対して自由入力画面に追記されたメモは、当該表示されたコンテンツに対して重ねて透過状態で表示され、その後の同期によってデータベースに保存されるため、コンテンツの原本データが書き換えられるという問題がある。さらに、担当者端末に表示されるコンテンツ及び自由入力画面に追記されるメモのファイル形式が規定されていないため、コンテンツデータ、及びメモデータの解像度（画素数）が十分得られないという問題もある。
【００１４】
そこで、本発明は、上記従来の問題点に鑑みてなされたもので、文書ファイルの原本のファイル形式とは異なる画像ファイル形式の画像データに対して上書を行い、当該上書された画像データを文書ファイルと対応付けて保存することにより、文書ファイルの原本を書き換えることなく文書ファイル、及び当該文書ファイルに上書された画像データをクライアント間で共有することが可能になると共に、当該文書ファイルに上書された画像データの解像度（画素数）を十分得ることが可能なクラウドシステム、クラウドサーバ、情報処理端末、及びプログラムを提供することを目的とする。
【課題を解決するための手段】
【００１５】
上記課題を解決するため、請求項１に記載の本発明におけるクラウドシステムは、クラウドサーバと、前記クラウドサーバと接続するために必要なアプリケーションソフトウェアがインストールされ、前記クラウドサーバと接続することにより、前記クラウドサーバとの間でデータの送受信を行う情報処理端末と、を含むクラウドシステムであって、前記クラウドサーバは、予め所定の文書ファイル形式で格納された電子データを、任意の画像ファイル形式の画像データに変換する手段と、前記変換された前記画像データを、前記情報処理端末へ送信する手段と、を含み、前記情報処理端末は、前記送信された前記画像データを受信する手段と、前記受信された前記画像データに対して所定の情報を上書する手段と、前記上書された前記所定の情報を前記クラウドサーバに送信する手段と、を含み、前記クラウドサーバは、前記送信された前記所定の情報を受信する手段と、前記受信された前記所定の情報を前記所定の文書ファイル形式に変換し、前記電子データと対応付けて保存する手段と、を含むことを特徴とする。
【００１６】
また、本発明におけるクラウドシステムは、請求項１に記載のクラウドシステムにおいて、前記所定の情報は、前記画像データにおいて、特定の箇所を指し示すポインタ情報であることを特徴とする。
【００１７】
さらに、上記課題を解決するため、請求項３に記載のクラウドサーバは、必要なアプリケーションソフトウェアがインストールされた情報処理端末と接続することにより、前記情報処理端末との間でデータの送受信を行うクラウドサーバであって、予め所定の文書ファイル形式で格納された電子データを、任意の画像ファイル形式の画像データに変換する手段と、前記変換された前記画像データを、前記情報処理端末へ送信する手段と、前記情報処理端末において前記画像データに対して所定の情報が上書された後、前記情報処理端末から送信された、前記所定の情報を受信する手段と、前記受信された前記所定の情報を前記所定の文書ファイル形式に変換し、前記電子データと対応付けて保存する手段と、を含むことを特徴とする。
【００１８】
また、本発明におけるクラウドサーバは、請求項３に記載のクラウドサーバにおいて、前記所定の情報は、前記画像データにおいて、特定の箇所を指し示すポインタ情報であることを特徴とする。
【００１９】
そして、上記課題を解決するため、請求項５に記載の情報処理端末は、クラウドサーバと接続するために必要なアプリケーションソフトウェアがインストールされ、前記クラウドサーバと接続することにより、前記クラウドサーバとの間でデータの送受信を行う情報処理端末であって、前記クラウドサーバに予め所定の文書ファイル形式で格納された電子データが、前記クラウドサーバにおいて任意の画像ファイル形式の画像データに変換された後、前記クラウドサーバから送信された前記画像データを受信する手段と、前記受信された前記画像データに対して所定の情報を上書する手段と、前記上書された前記所定の情報を前記クラウドサーバに送信する手段と、を含むことを特徴とする。
【００２０】
また、本発明における情報処理端末は、請求項５に記載の情報処理端末において、前記所定の情報は、前記画像データにおいて、特定の箇所を指し示すポインタ情報であることを特徴とする。
【００２１】
さらに、上記課題を解決するため、請求項７に記載のプログラムは、クラウドサーバと、前記クラウドサーバと接続するために必要なアプリケーションソフトウェアがインストールされ、前記クラウドサーバと接続することにより、前記クラウドサーバとの間でデータの送受信を行う情報処理端末と、を含むクラウドシステムのコンピュータに、前記クラウドサーバに予め所定の文書ファイル形式で格納された電子データを、任意の画像ファイル形式の画像データに変換する処理と、前記変換された前記画像データを、前記情報処理端末へ送信する処理と、前記送信された前記画像データを前記情報処理装置において受信する処理と、前記受信された前記画像データに対して所定の情報を上書する処理と、前記上書された前記所定の情報を前記クラウドサーバに送信する処理と、前記送信された前記所定の情報を前記クラウドサーバにおいて受信する処理と、前記受信された前記所定の情報を前記所定の文書ファイル形式に変換し、前記電子データと対応付けて保存する処理と、を実現させることを特徴とする。
【００２２】
また、上記課題を解決するため、請求項８に記載のプログラムは、必要なアプリケーションソフトウェアがインストールされた情報処理端末と接続することにより、前記情報処理端末との間でデータの送受信を行うクラウドサーバのコンピュータに、予め所定の文書ファイル形式で格納された電子データを、任意の画像ファイル形式の画像データに変換する処理と、前記変換された前記画像データを、前記情報処理端末へ送信する処理と、前記情報処理端末において前記画像データに対して所定の情報が上書された後、前記情報処理端末から送信された、前記所定の情報を受信する処理と、前記受信された前記所定の情報を前記所定の文書ファイル形式に変換し、前記電子データと対応付けて保存する処理と、を実現させることを特徴とする。
【００２３】
そして、上記課題を解決するため、請求項９に記載のプログラムは、クラウドサーバと接続するために必要なアプリケーションソフトウェアがインストールされ、前記クラウドサーバと接続することにより、前記クラウドサーバとの間でデータの送受信を行う情報処理端末のコンピュータに、前記クラウドサーバに予め所定の文書ファイル形式で格納された電子データが、前記クラウドサーバにおいて任意の画像ファイル形式の画像データに変換された後、前記クラウドサーバから送信された前記画像データを受信する処理と、前記受信された前記画像データに対して所定の情報を上書する処理と、前記上書された前記所定の情報を前記クラウドサーバに送信する処理と、を実現させることを特徴とする。
【発明の効果】
【００２４】
本発明によれば、文書ファイルの原本を書き換えることなく文書ファイル、及び当該文書ファイルに上書された画像データをクライアント間で共有することが可能になると共に、当該文書ファイルに上書された画像データの解像度（画素数）を十分得ることが可能なクラウドシステム、クラウドサーバ、情報処理端末、及びプログラムを得ることができる。
【図面の簡単な説明】
【００２５】
【図１】本発明の実施形態におけるクラウドシステムの構成を示す概略図である。
【図２】本発明の実施形態におけるクラウドシステムを構成するクラウドサーバの構成について説明する概略ブロック図である。
【図３】本発明の実施形態におけるクラウドシステムを構成する情報処理端末の構成について説明する概略ブロック図である。
【図４】本発明の実施形態におけるクラウドシステムにおけるＰＤＦファイルとＪＰＥＧファイルとの対応関係を説明する図である。
【図５】本発明の実施形態におけるクラウドシステムを構成する情報処理端末の表示部に表示される画像データについて説明する図である。
【図６】本発明の実施形態におけるクラウドシステムを構成する情報処理端末の表示部に表示される画像データに対してテキストを上書した場合について説明する図である。
【図７】本発明の実施形態におけるクラウドシステムを構成する情報処理端末の表示部に表示される画像データに対して直線を上書した場合について説明する図である。
【図８】本発明の実施形態におけるクラウドシステムを構成する情報処理端末の表示部に表示される画像データに対して四角線を上書した場合について説明する図である。
【図９】本発明の実施形態におけるクラウドシステムを構成する情報処理端末の表示部に表示される画像データに対してフリーハンドの文字を上書した場合について説明する図である。
【図１０】本発明の実施形態におけるクラウドシステムを構成する情報処理端末の表示部に表示される画像データに対してポインタを指し示す場合について説明する図である。
【図１１】本発明の実施形態における情報処理端末の表示部に表示される画像データに対して決裁欄を上書する場合について説明する図である。
【発明を実施するための形態】
【００２６】
次に、本発明を実施するための形態について図面を参照して詳細に説明する。なお、各図中、同一又は相当する部分には同一の符号を付しており、その重複説明は適宜に簡略化乃至省略する。
【００２７】
まず始めに、本発明の実施形態におけるクラウドシステムが提供するクラウドサービスについて説明する。本発明の実施形態におけるクラウドシステムによって提供されるクラウドサービスは、タブレット型端末を一例とする情報処理端末と、企業のプライベートクラウドとをオンラインで繋ぎ、会議等のビジネスシーンを大きく変えるものである。
【００２８】
近年、ＰＣ、スマートフォン、タブレット型端末等のユーザが使用するクライアント端末からインターネット等の広域ネットワーク上のサーバにアクセスし、サーバ上で情報処理を実行することにより各種のサービスを受けられるクラウドサービスと呼ばれるサービスが普及している。
【００２９】
クラウドサービスを利用することにより、従来ユーザ側のクライアント端末にアプリケーションソフトウェアをインストールして実行していた情報処理を、サーバ側が代行して実行するため、ユーザは自身のクライアント端末のリソースの消費を抑えて種々のサービスを利用することができる。
【００３０】
また、インターネットのような広域ネットワークにおいて提供されるクラウドサービスをパブリッククラウドと呼ぶこともあるが、パブリッククラウドを提供することにより、インターネットに接続できるより多くのユーザにサービスを提供することが可能となる。
【００３１】
このクラウドサービスを利用することにより、クラウドサービスに対応するアプリケーションソフトウェアがインストールされたタブレット型端末等からリアルタイムにアップロードされ、会議中にメモ機能を使用して上書されたデータ（文字データ、画像データ等）を他の会議出席者がダウンロードすることによって閲覧し、他人と連携してリアルタイムにデータを共有することができる。
【００３２】
セキュリティ面においては、全ての文書データはプライベートクラウド（クラウドストレージシステム：（ＣＳＳ：Cloud Storage System））に格納され、企業ＩＤ、ユーザＩＤ、及びパスワードを用いて認証を行うことにより、データの閲覧、及び利用が可能となる。社員が、仮にタブレット型端末等を紛失したり盗難に遭ったりした場合には、企業のＩＴ（Information Technology）管理者がクラウドストレージシステム（ＣＳＳ）の管理（Ｗｅｂ）コンソール上で当該タブレット型端末を一例とする情報処理端末に対するクラウドサービスを停止することができ、情報漏洩を防止することができる。
【００３３】
また、クラウドストレージシステム（ＣＳＳ）のサーバ内には、社員がプライベートクラウドから閲覧した履歴（ログ情報）が格納されているため、このログ情報を監査証跡として利用することもできる。さらに、タブレット型端末等のユーザが使用するクライアント端末がクラウドサービスを抜けると、タブレット型端末内のデータは当該クライアント端末から全て消去（いわゆるローカルワイプ）され、プライベートクラウドから入手したデータ等は、タブレット型端末内に一切残さないといった、モビリティ型シンクライアントである。
【００３４】
図１は、本発明の実施形態におけるクラウドシステムの構成を示す概略図である。図１を参照すると、本発明の実施形態におけるクラウドストレージシステム（ＣＳＳ）１００は、Ｌｉｎｕｘ（登録商標）サーバ１０２を含むプライベートクラウド１０１が、共有フォルダ１０３を有し、共有フォルダ１０３には、ＰＣ１０５、タブレット型端末１０６、１１４、１１５、及びスマートフォン１０７、１０８からアップロードされた様々な画像データ１１６が格納される。そして、ＰＣ１０５には、プライベートクラウド１０１のクラウドサービスと接続するために必要なＣ用アプリケーションソフトウェア１０９が予めインストールされている。
【００３５】
同様に、タブレット型端末１０６、１１４、１１５には、プライベートクラウド１０１のクラウドサービスと接続するために必要なタブレット端末用アプリケーションソフトウェア１１０（ｉＰａｄ用）、１１１（Ａｎｄｒｏｉｄ  タブレット用）が、スマートフォン１０７、１０８には、プライベートクラウド１０１のクラウドサービスと接続するために必要なスマートフォン用アプリケーションソフトウェア１１２（ｉＰｈｏｎｅ（登録商標）用）、１１３（Ａｎｄｒｏｉｄスマートフォン用）がそれぞれインストールされている。このように、各クライアント端末に対応するアプリケーションソフトウェアをインストールするだけで、非常に簡単にクラウドストレージシステム（ＣＳＳ）１００と連携することができる。
【００３６】
そして、共有フォルダ１０３と、ＰＣ１０５、タブレット型端末１０６、１１４、１１５、及びスマートフォン１０７、１０８との間で画像データ１１６がやり取りされる。なお、セキュリティ対応として、タブレット型端末１０６、１１４、１１５のアクセス履歴がプライベートクラウド１０１の認証システム１１７にアクセスログとして保存されるので、証跡を取ることや社員の意識付けにも寄与し、プライベートクラウド１０１の図示しないＩＴ管理者が、コンソールを用いて、プライベートクラウド１０１と社員のタブレット型端末１０６、１１４、１１５との切断を行うことができるので、タブレット型端末の盗難・紛失時にも対応することができる。さらに、クライアント端末側にファイルを残さないいわゆるローカルワイプ機能と、認証システム１１７によるデバイス認証が行われる。
【００３７】
次に、図２を用いて本発明の実施形態におけるクラウドシステムを構成するクラウドサーバの構成について説明する。図２は、本発明の実施形態におけるクラウドシステムを構成するクラウドサーバの構成について説明する概略ブロック図である。
【００３８】
Ｌｉｎｕｘサーバ１０２は、ネットワーク接続部１０２４と、ＣＰＵ（Central Processing Unit）１０２５と、ＲＯＭ（Read Only Memory）１０２１と、ＲＡＭ（Random Access Memory）１０２２と、ＨＤＤ（Hard Disk Drive）１０２３と、表示部１０２６と、入力部１０２７と、電源部１０２８と、画像データ変換・整合部１０２９と、から構成される。
【００３９】
ネットワーク接続部１０２４は、インターネットに代表されるネットワークに接続され、ネットワークとのインタフェースを図るものである。ＣＰＵ１０２５は、Ｌｉｎｕｘサーバ１０２全体の動作を制御するものであり、ＲＯＭ１０２１に格納された制御プログラムをロードし、Ｌｉｎｕｘサーバ１０２の動作によって得られた様々なデータをＲＡＭ１０２２に展開するものである。ＨＤＤ１０２３は、Ｌｉｎｕｘサーバ１０２のアプリケーションソフトウェアを格納するものである。
【００４０】
表示部１０２６は、ＬＣＤ（Liquid Crystal Display）等で構成される表示画面であり、Ｌｉｎｕｘサーバ１０２によって実行されたアプリケーションの結果を表示するものである。入力部１０２７は、キーボード、マウス、タッチパネル等、Ｌｉｎｕｘサーバ１０２の管理者が、Ｌｉｎｕｘサーバ１０２に対して指示を与えるものである。また、電源部１０２８は、Ｌｉｎｕｘサーバ１０２に対してＡＣ（Alternative Current：交流）又はＤＣ（Direct Current：直流）電源を与えるものである。そして、画像データ変換・整合部１０２９は、後述するようにＬｉｎｕｘサーバ１０２に格納されたＰＤＦ文書ファイル形式の電子データを、ＪＰＥＧを一例とする画像ファイル形式の画像データに変換したり、タブレット型端末１０６、１１４、１１５を一例とする情報処理端末において、上書されたＪＰＥＧ画像データと、それに対応するＰＤＦ文書ファイル形式の電子データとの整合を図ったりするものである。
【００４１】
次に、図３を用いて本発明の実施形態におけるクラウドシステムを構成する情報処理端末の構成について説明する。図３は、本発明の実施形態におけるクラウドシステムを構成する情報処理端末の構成について説明する概略ブロック図である。
【００４２】
タブレット型端末１０６は、ネットワーク接続部１０６４と、ＣＰＵ１０６５と、ＲＯＭ１０６１と、ＲＡＭ１０６２と、ＨＤＤ１０６３と、表示部１０６６と、入力部１０６７と、電源部１０６８と、から構成される。
【００４３】
ネットワーク接続部１０６４は、インターネットに代表されるネットワークに接続され、ネットワークとのインタフェースを図るものである。ＣＰＵ１０６５は、タブレット型端末１０６全体の動作を制御するものであり、ＲＯＭ１０６１に格納された制御プログラムをロードし、タブレット型端末１０６の動作によって得られた様々なデータをＲＡＭ１０６２に展開するものである。ＨＤＤ１０６３は、タブレット型端末１０６のアプリケーションソフトウェアを格納するものである。
【００４４】
表示部１０６６は、ＬＣＤ等で構成される表示画面であり、タブレット型端末１０６によって実行されたアプリケーションの結果を表示するものである。入力部１０６７は、キーボード、マウス、タッチパネル等、タブレット型端末１０６のユーザが、タブレット型端末１０６に対して指示を与えるものである。また、電源部１０６８は、タブレット型端末１０６に対してＡＣ又はＤＣ電源を与えるものである。
【００４５】
そして、図１において、タブレット型端末１０６が、Ｌｉｎｕｘサーバ１０２の認証を受けると、共有フォルダ１０３に格納されている所定の枚数からなるＰＤＦ文書ファイル形式の電子データが、タブレット型端末１０６の表示部１０６６に表示され、閲覧可能となる。ここで、タブレット型端末１０６において、Ｌｉｎｕｘサーバ１０２においてＰＤＦ文書ファイル形式で格納されている電子データを、ＰＤＦ文書ファイル形式のまま閲覧しているのではなく、Ｌｉｎｕｘサーバ１０２の内部において、ＰＤＦ文書ファイル形式の電子データが、ＪＰＥＧを一例とする画像ファイル形式の画像データに変換されたものを閲覧している。
【００４６】
タブレット型端末１０６において、ＰＤＦ文書ファイル形式のままで閲覧可能とすると、通常、当該ＰＤＦ文書ファイル形式の電子データの閲覧のみが可能となる一方、上書を行うことができない。また、仮に、ＰＤＦ文書ファイル形式の電子データの容量が大きいと、タブレット型端末１０６においてすべてのＰＤＦ文書ファイル形式の電子データをダウンロードするのに多大の時間を要する。
【００４７】
したがって、本発明の実施形態に係るＬｉｎｕｘサーバ１０２では、格納するすべてのＰＤＦ文書ファイル形式の電子データを、１枚ずつＪＰＥＧを一例とする画像ファイル形式の画像データに変換し、当該ＪＰＥＧを一例とする画像ファイル形式の画像データをタブレット型端末１０６に提供している。そして、後述するように、タブレット型端末１０６の表示部１０６６には、Ｌｉｎｕｘサーバ１０２に格納されているすべてのＰＤＦ文書ファイル形式の電子データから変換されたＪＰＥＧを一例とする画像ファイル形式の画像データのサムネイル画像が表示部１０６６の画面下部に表示される。このサムネイル画像の中から、ユーザが閲覧したいページのみを選択することが可能である。なお、Ｌｉｎｕｘサーバ１０２に格納されたＰＤＦ文書ファイル形式の電子データの中から選択された任意のページが、ＰＤＦからＪＰＥＧに変換され、タブレット型端末１０６の表示部１０６６に表示されるようにしても良い。
【００４８】
また、タブレット型端末１０６では、ＰＤＦ文書ファイル形式の電子データに代えて、ＪＰＥＧを一例とする画像ファイル形式の画像データを閲覧することができるので、画像の一部分を拡大しても画像データが崩れることなく、良好な解像度（画素数）を得ることができる。
【００４９】
次に、本発明の実施形態におけるクラウドシステムにおけるＰＤＦ文書ファイル形式の電子データと、ＪＰＥＧを一例とする画像ファイル形式の画像データとの対応関係について説明する。図４は、本発明の実施形態におけるクラウドシステムにおけるＰＤＦファイルとＪＰＥＧファイルとの対応関係を説明する図である。
【００５０】
上記説明したように、Ｌｉｎｕｘサーバ１０２では、ＰＤＦ文書ファイル形式の複数の電子データを、それぞれＪＰＥＧを一例とする画像ファイル形式の画像データに変換して、タフレット型端末１０６で閲覧可能な状態にしている。したがって、Ｌｉｎｕｘサーバ１０２は、図４に示すように、ＰＤＦ文書ファイル形式の各電子データＰＤＦ＿１、ＰＤＦ＿２、ＰＤＦ＿３、・・・、ＰＤＦ＿Ｎと、ＪＰＥＧを一例とする画像ファイル形式の各画像データＪＰＥＧ＿１、ＪＰＥＧ＿２、ＪＰＥＧ＿３、・・・、ＪＰＥＧ＿Ｎとを、それぞれ一対一で対応付けて記憶している。
【００５１】
そして、後述するように、ＪＰＥＧを一例とする画像ファイル形式の画像データ上に上書された描画情報をＬｉｎｕｘサーバ１０２に格納するとき、すべてのＪＰＥＧ画像ファイル形式の画像データを改めて送信するのではなく、上書されたページに該当する部分のみの描画情報を送信する。そうすると、Ｌｉｎｕｘサーバ１０２では、図４に示すように、ＰＤＦ文書ファイル形式の各電子データ１１６２と、ＪＰＥＧ画像ファイル形式の各画像データ１１６１とを、一対一でそれぞれ対応付けて記憶しているので、上書されたＪＰＥＧ画像ファイル形式の画像データを、対応するＰＤＦ文書ファイル形式の電子データに変換して格納するのである。なお、Ｌｉｎｕｘサーバ１０２は、上書されたＪＰＥＧ画像を、ＰＤＦ文書ファイル形式に変換することなく、ＪＰＥＧ画像ファイル形式のまま保存することも可能である。
【００５２】
次に、本発明の実施形態におけるクラウドシステムを構成する情報処理端末の表示部に表示されるＪＰＥＧ画像ファイル画像ファイル形式の画像データについて説明する。図５は、本発明の実施形態におけるクラウドシステムを構成する情報処理端末の表示部に表示される画像データについて説明する図である。
【００５３】
図５において、タブレット型端末１０６の表示部１０６６には、Ｌｉｎｕｘサーバ１０２に格納されたＰＤＦ文書ファイル形式の電子データが、ＪＰＥＧを一例とする画像ファイル形式の画像データに変換された画像データ５０１が表示されている。図５の場合、数十、又は数百ページあるＪＰＥＧ画像データが、サムネイルリスト５０２に表示され、その中の４ページ目が表示されている。そして、表示部１０６６の画面下部には、画像データ５０１に対して上書するためのツールバーとして、フォントの色、太さを設定するアイコン５０３、テキストボックスを作成し、文字を入力する際に使用するアイコン５０４、オブジェクトを選択する際に使用するアイコン５０５、画像を移動させる際に使用する画面タッチモードのアイコン５０６、直線を描画する際に使用するアイコン５０７、フリーハンドで描画する際に使用するアイコン５０８、元に戻す際に使用するアイコン５１０、もう一度やり直す際に使用するアイコン５１１、上書した描画情報を保存する際に使用するアイコン５１２、及び描画情報を一括削除する際に使用するアイコン５１３が表示される。なお、アイコン５１２を使用した上書した描画情報の保存に関しては、後述する。
【００５４】
次に、本発明の実施形態におけるクラウドシステムを構成する情報処理端末の表示部に表示される画像データに対してテキストが上書された場合について説明する。図６は、本発明の実施形態におけるクラウドシステムを構成する情報処理端末の表示部に表示される画像データに対してテキストを上書した場合について説明する図である。図６において、画像データ６０１に対して、ツールバーの中のアイコン５０４を用いることにより、画像データ６０１の文章の中に“←ここ重要なポイント！”という文字６０２が上書されている。
【００５５】
次に、本発明の実施形態におけるクラウドシステムを構成する情報処理端末の表示部に表示される画像データに対して直線が上書された場合について説明する。図７は、本発明の実施形態におけるクラウドシステムを構成する情報処理端末の表示部に表示される画像データに対して直線を上書した場合について説明する図である。図７において、画像データ７０１に対して、ツールバーのアイコン５０７を用いることにより、画像データ７０１の文章の中に下線７０２が上書されている。
【００５６】
次に、本発明の実施形態におけるクラウドシステムを構成する情報処理端末の表示部に表示される画像データに対して四角線が上書された場合について説明する。図８は、本発明の実施形態におけるクラウドシステムを構成する情報処理端末の表示部に表示される画像データに対して四角線を上書した場合について説明する図である。図８において、画像データ８０１に対して、ツールバーの中のアイコン５０９を用いることにより、画像データ８０１の表題に四角線８０２が上書されている。
【００５７】
次に、本発明の実施形態におけるクラウドシステムを構成する情報処理端末の表示部に表示される画像データに対してフリーハンドで上書された場合について説明する。図９は、本発明の実施形態におけるクラウドシステムを構成する情報処理端末の表示部に表示される画像データに対してフリーハンドの文字を上書した場合について説明する図である。図９において、画像データ９０１に対して、ツールバーのアイコン５０８を用いることにより、画像データ９０１に対してフリーハンドの描画９０２が上書されている。
【００５８】
なお、上述したように、Ｌｉｎｕｘサーバ１０２では、格納するすべてのＰＤＦ文書ファイル形式の電子データを、１枚ずつＪＰＥＧを一例とする画像ファイル形式の画像データに変換し、当該ＪＰＥＧを一例とする画像ファイル形式の画像データをタブレット型端末１０６に提供しているが、タブレット型端末１０６は、当該ＪＰＥＧ画像データを取得している最中にも、表示部１０６６に表示された画像データに対して上書を行うことができる。また、タブレット型端末１０６は、当該ＪＰＥＧ画像データを取得している最中にも、表示部１０６６に表示される画像データを、閲覧したいページに飛ばすことができる。
【００５９】
次に、上書した画像データの保存について説明する。図５に示した上書した描画情報を保存する際に使用するアイコン５１２を押下することにより、上書された描画情報を保存することができるのであるが、このとき、Ｌｉｎｕｘサーバ１０２に対して送信されるのは上書された描画情報だけである。これにより、Ｌｉｎｕｘサーバ１０２とタブレット型端末との間における伝送レートを低く設定することができる。そして、Ｌｉｎｕｘサーバ１０２は、送信された上書された描画情報を、対応するＰＤＦ文書ファイル形式の電子データに変換して保存する。このとき、ＰＤＦ文書ファイル形式の電子データの原本ファイルに上書して保存するか、電子データの原本ファイルは変更することなく、異なるファイル名で保存するかを選択することができる。
【００６０】
また、タブレット型端末１０６の表示部１０６６に表示された画像データに対して上書を行っている作業を一時中断する場合、書きかけ一時保存という機能を用いることも可能である。すなわち、中断前までに上書された描画情報に関しては一時的にタブレット型端末１０６に保存しておき、上書作業を再開した後、最終的に描画情報を保存する場合は、上記したように描画情報をＬｉｎｕｘサーバ１０２に送信し、Ｌｉｎｕｘサーバ１０２においてＰＤＦ文書ファイル形式の電子データに変換されて保存される。
【００６１】
本発明の実施形態におけるクラウドシステムが適用される場面としては、例えば、参加者全員がタブレット型端末を持参するプレゼンテーション等が考えられる。発表者がプロジェクタ等を用いてスクリーンに投影したプレゼンテーション資料が、Ｌｉｎｕｘサーバ１０２から各参加者が持参するタブレット型端末にダウンロードされ、発表者の発言に基づいて、各参加者がタブレット型端末の表示部に表示された画像データに対して、上書を行い、描画情報がＬｉｎｕｘサーバ１０２に格納される。そして、プレゼンテーションの参加者全員分の描画情報を個別に保存するためには、各人が異なるファイル名で保存すれば良いし、全員分の描画情報を併合するためには、同じファイル名で保存すれば良い。これにより、参加者全員分の描画情報が融合されたＰＤＦファイルを作ることができる。
【００６２】
また、本発明の実施形態におけるクラウドシステムが適用される他の場面として、例えば、学校の授業や、学習塾の講義等が考えられる。教師Ａが出題した問題がＬｉｎｕｘサーバ１０２から生徒Ｂのタブレット型端末にダウンロードされ、生徒Ａが表示部に解答を上書すると、この上書された描画情報がＬｉｎｕｘサーバ１０２を経由して教師Ａのタブレット型端末にダウンロードされ、教師Ａは生徒Ｂが書いた解答を見ることができる。そして、教師Ａは生徒Ｂの解答に対して、重要なポイントについて直線を引くと、生徒Ｂのタブレット型端末に直線が描画される。このように、他人が描いたコメントをリアルタイムで見ることができ、Ｌｉｎｕｘサーバ１０２を経由してファイル情報を共有することができる。
【００６３】
次に、本発明の実施形態におけるクラウドシステムを構成する情報処理端末の表示部に表示される画像データに対してポインタ機能が用いられる場合について説明する。図１０は、本発明の実施形態におけるクラウドシステムを構成する情報処理端末の表示部に表示される画像データに対してポインタを指し示す場合について説明する図である。図１０において、プレゼンテーションの発表者等が、プレゼンテーション画像１００１のどの部分について説明しているかを知らせるためのツールとして、表示部１０６６に特定の箇所を指し示す情報であるポインタマーク（ポインタ情報）１００２を記すことにより、このポインタマーク１００２の情報が、Ｌｉｎｕｘサーバ１０２を介して参加者のタブレット型端末に配信される。これにより、参加者は、発表者がプレゼンテーション画像１００１のどの部分について説明しているのかを理解することができる。
【００６４】
次に、本発明の実施形態におけるクラウドシステムを構成する情報処理端末の表示部に表示される画像データに対して電子印等の決裁欄が設けられる場合について説明する。図１１は、本発明の実施形態における情報処理端末の表示部に表示される画像データに対して決裁欄を上書する場合について説明する図である。すなわち、企業等で業務を回していくためには書類の決裁が必要となるが、画像データ１１０１に、担当者が決裁欄１１０２を上書すると共に、担当者電子印を押下し、Ｌｉｎｕｘサーバ１０２にアップロードする。そして、係長のタブレット型端末に担当者電子印が押下された画像データが配信され、係長が係長電子印を押下し、Ｌｉｎｕｘサーバ１０２にアップロードされる。最後に、部長のタブレット型端末に課長、係長、及び担当者の電子印が押下された画像データが配信され、部長が電子印を押下することにより決裁が終了する。このようにして、決裁業務をペーパーレスにすることによって業務改善を図ることができる。
【００６５】
なお、複数のタブレット型端末からＬｉｎｕｘサーバ１０２に対して描画情報が同じタイミングでアップロードされる場合は理論的にはあり得るが、実質的には時間差が生ずる。したがって、あるタブレット型端末から描画情報がアップロードされ、Ｌｉｎｕｘサーバ１０２が画像ファイルを更新している最中に、他のタブレット型端末からアクセスがあった場合は、更新直前の最新の画像データが配信されるようにしている。更新中の画像データは、更新が確定した時点で更新された画像データに切り替わるようにしている。
【００６６】
本発明の実施形態におけるクラウドシステムの応用例として、プリント機能、及びスキャナ機能について説明する。プリンタ機能とは、タブレット型端末に設けられたプリントアイコンを押下すると、プライベートクラウド１０１を介して接続され、予め定められた特定のプリンタに対して、プライベートクラウド１０１を経由して描画情報を含む画像データが送信され、当該予め定められた特定のプリンタにおいて、描画情報を含む画像データが印刷される。
【００６７】
次に、スキャナ機能とは、タブレット型端末に設けられたスキャナアイコンを押下すると、プライベートクラウド１０１を介して接続され、予め定められた特定のプリンタに設けられたスキャナ機能を用いて取り込まれた画像データが、ＰＤＦ文書ファイル形式の電子データと、ＪＰＥＧを一例とする画像ファイル形式の画像データに変換され、プライベートクラウド１０１を経由してＬｉｎｕｘサーバ１０２に送信され格納される。そして、Ｌｉｎｕｘサーバ１０２とプライベートクラウド１０１を介して接続されたタブレット型端末に対して当該ＪＰＥＧを一例とする画像ファイル形式の画像データが配信され、タブレット型端末の表示部で閲覧することができる。
【００６８】
なお、上記の説明において、情報処理端末として、タブレット型端末を例として説明したが、情報処理端末はタブレット型端末に限定されることなく、スマートフォン等の携帯端末やＰＣ等を用いることも可能である。また、上記の説明において、ＰＤＦ文書ファイル形式の電子データから変換される画像データとして、ＪＰＥＧを一例とする画像ファイル形式の画像データを用いて説明しているが、画像データのファイル形式は、ＪＰＥＧ形式に限定されることなく、ＰＮＧ（Portable Network Graphics）、ＧＩＦ（Graphics Interchange Format）等の画像ファイル形式を用いることも可能である。
【００６９】
また、上記において、Ｌｉｎｕｘサーバには、ＰＤＦ文書ファイル形式の電子データが格納されているとして説明を行っている。これは、本発明の実施形態におけるクラウドシステムが広く一般公衆に開放されたシステムではなく、ある特定の企業等、内部的に閉じられたセキュアなクラウドシステムであることに起因する。すなわち、プライベートクラウドに格納された原本ファイルは非常に機密性が高いものであるから、第三者によるデータの流出、情報漏洩が発生してはならず、企業等の従業員であっても、保持するタブレット型端末にはローカルにデータを残さないシステムとなっている。
【００７０】
そこで、改竄不能なドキュメントファイル形式として事実上、業界標準（デファクトスタンダード）となっているＰＤＦ文書ファイル形式の電子データを採用し、ドキュメントファイルをレビューし、上書を行う場合には、ＪＰＥＧを一例とする画像ファイル形式の画像データに変換された画像データに対して行うことにより、ドキュメントファイルの原本性を維持することとしている。
【００７１】
なお、本発明の実施形態におけるクラウドシステムを構成するＬｉｎｕｘサーバ１０２、タブレット型端末１０６を構成する各機能ブロックの各動作は、コンピュータ上のプログラムに実行させることもできる。すなわち、Ｌｉｎｕｘサーバ１０２のＣＰＵ１０２５、及びタブレット型端末１０６のＣＰＵ１０６５が、ＲＯＭ１０２１、１０６１、及びＲＡＭ１０２２、１０６２等から構成される記憶部に格納されたプログラムをロードし、プログラムの各処理ステップが順次実行されることによって行われる。
【００７２】
以上説明してきたように、本発明によれば、文書ファイルの原本のファイル形式とは異なる画像ファイル形式の画像データに対して上書を行い、当該上書された画像データを文書ファイルと対応付けて保存することにより、文書ファイルの原本を書き換えることなく文書ファイル、及び当該文書ファイルに上書された画像データをクライアント間で共有することが可能になると共に、当該文書ファイルに上書された画像データの解像度（画素数）を十分得ることができる。
【００７３】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００７４】
１００    クラウドストレージシステム
１０１    プライベートクラウド
１０２    Ｌｉｎｕｘサーバ
１０３    共有フォルダ
１０５    パーソナルコンピュータ（ＰＣ）
１０６、１１４、１１５    タブレット型端末
１０７、１０８    スマートフォン
１０９    ＰＣ用アプリケーションソフトウェア
１１０    ｉＰａｄ用アプリケーションソフトウェア
１１１    Ａｎｄｒｏｉｄ  タブレット型端末用アプリケーションソフトウェア
１１２    ｉＰｈｏｎｅ用アプリケーションソフトウェア
１１３    Ａｎｄｒｏｉｄスマートフォン用アプリケーションソフトウェア
１１６、５０１、６０１、７０１、８０１、９０１、１１０１    画像データ
５０２    サムネイルリスト
５０３、５０４、５０５、５０６、５０７、５０８、５０９、５１０、５１１、５１２、５１３    アイコン
６０２    文字
７０２    下線
８０２    四角線
９０２    描画
１００１    プレゼンテーション画像
１００２    ポインタマーク
１０２１、１０６１    ＲＯＭ
１０２２、１０６２    ＲＡＭ
１０２３、１０６３    ＨＤＤ
１０２４、１０６４    ネットワーク接続部
１０２５、１０６５    ＣＰＵ
１０２６、１０６６    表示部
１０２７、１０６７    入力部
１０２８、１０６８    電源部
１０２９    画像データ変換・整合部
１１０２    決裁欄
１１６１    ＪＰＥＧ画像ファイル形式の各画像データ
１１６２    ＰＤＦ文書ファイル形式の各電子データ
【図１】
2014186632.tif 000003
【図２】
2014186632.tif 000004
【図３】
2014186632.tif 000005
【図４】
2014186632.tif 000006
【図５】
2014186632.tif 000007
【図６】
2014186632.tif 000008
【図７】
2014186632.tif 000009
【図８】
2014186632.tif 000010
【図９】
2014186632.tif 000011
【図１０】
2014186632.tif 000012
【図１１】
2014186632.tif 000013